(57)【要約】【課題】踵の角化、ひび割れを確実に保護し、容易に踵に貼付して被覆することができ、長時間貼付することにより柔らかな（滑らかな）皮膚にすることができるドレッシング材を提供する。【解決手段】支持体の片面に粘着剤層を有し、踵に対して足底部（足蹠部）に貼付して被覆できる形状Aと該形状Aから二つの切り込み部によって該形状Aから区分けされている、アキレス腱部に貼付して被覆できる形状Bを有する踵用ドレッシング材。【選択図】図１
0003210376.tif 000002
【実用新案登録請求の範囲】
【請求項１】
支持体の片面に粘着剤層を有し、踵に対して足底部（足蹠部）に貼付して被覆できる形状Aと、該形状Aから二つの切り込み部によって該形状Aから区分けされているアキレス腱部に貼付して被覆できる形状B、を有する踵用ドレッシング材。
【請求項２】
二つの切り込み部から該形状Bの末端までの長さLBと二つの切り込み部を結ぶ直線からから該形状Aの末端までの長さLAとの比、LB÷LAが1〜1/3である請求項１に記載の踵用ドレッシング材。
【請求項３】
請求項１または請求項２に記載の踵用ドレッシング材の粘着剤側に剥離シートを積層した、剥離シート付踵用ドレッシング材において、該剥離シートが二つの切り込み部から形状Aの方向に向かって、剥離シート端にほぼ平行な2本のスリットを有すドレッシング材。
【請求項４】
請求項３に記載の剥離シート付踵用ドレッシング材において、前記二つの切り込み部で2本のスリットを結ぶ直線に沿ってミシン目または型押しを施した剥離シート付踵用ドレッシング材。
【考案の詳細な説明】
【技術分野】
【０００１】
糖尿病患者や透析患者は、動脈硬化の進行により重症虚血肢となる。重症化を防ぐためにフットケアが必要である。踵フットケアに用いるためのドレッシング材に関するものである。
【背景技術】
【０００２】
踵のフットケアは症状に応じてヤスリやカッターなどを用いて、角質ケアをしている。
【０００３】
角質ケア後は、保湿クリームなどを塗布しているが、靴下などに付着してしまい皮膚に浸透する量が少なく効果は十分でない。
【考案の概要】
【考案が解決しようとする課題】
【０００４】
本考案は、ドレッシング材を使用することで踵部の角質を除去しながら保湿効果を高めることができるような踵用ドレッシング材を提供しようとするものである。また、保湿剤を用いる場合は、ODT（密封療法）として保湿剤の効果をより高めることもできる。
【課題を解決するための手段】
【０００５】
支持体の片面に粘着剤層を有し、足底部（足蹠部）に貼付して被覆できる形状Aと該形状Aから二つの切り込み部によって該形状Aから分離されている、踵及びアキレス腱に貼付して被覆できる形状Bを有するドレッシング材である。
【０００６】
本考案に用いる支持体には公知のものを用いることができる。例えばプラスチックフィルム、又はプラスチックフィルムをラミネートした織布・編布・不織布を用いることができる。プラッチックフィルムはポリエチレンフィルム、ポリプロピレンフィルム、ポリエステルフィルム、ポリウレタンフィルム、ナイロンフィルムなどを用いることができるが、これらに限定されない。
【０００７】
本考案に用いる粘着剤には公知のものを用いることができる。例えばゴム系粘着剤、アクリル系粘着剤、シリコーン系粘着剤、ウレタン系粘着剤などを用いことができるが、これらに限定されない。さらに粘着剤に薬剤を含有させてもよい。
【０００８】
本考案に用いる剥離シートには公知のものを用いることができる。例えばシリコーン系剥離剤、長鎖アルキル系離剤、フッ素系剥離剤などで、プラスチックフィルム、紙、グラシン紙、ポリラミ紙を処理して剥離性を持たせたものを用いことができるが、これらに限定されない。
【０００９】
本考案における、「二つの切り込み部を結ぶ直線からから該形状Aの末端までの長さLA」とは、二つの切り込み部を結ぶ直線に対し垂直な直線のうち該形状Aの端までの長さが最も長い直線の長さをいう。
【００１０】
本考案における、「二つの切り込み部を結ぶ直線からから該形状Bの末端までの長さLB」とは、二つの切り込み部を結ぶ直線に対し垂直な直線のうち該形状Bの端までの長さが最も長い直線の長さをいう。
【考案の効果】
【００１１】
本考案によれば、角化した踵を確実に覆うことができるので保湿効果が高められる。そのため、角化した踵を悪化させることなく、質感の良い踵に戻すことができる。さらに、保湿剤を併用することにより、高い保湿効果が得られる。
【図面の簡単な説明】
【００１２】
【図１】本発明の第一の実施形態及び第二の実施形態に係る踵用ドレッシング材(実施例1)を上から見た平面図である。足底部（足蹠部）に貼付して被覆できる形状Aとアキレス腱部に貼付して被覆できる形状Bを示す。
【図２】本発明の第一の実施形態及び第二の実施形態に係る踵用ドレッシング材(実施例1)を横から見た側面模式図である。
【図３】本発明の第一の実施形態及び第二の実施形態に係る踵用ドレッシング材(実施例2)を上から見た平面図である。足底部（足蹠部）に貼付して被覆できる形状Aとアキレス腱部に貼付して被覆できる形状Bを示す。
【図４】本発明の第一の実施形態及び第二の実施形態に係る踵用ドレッシング材(実施例3)を上から見た平面図である。足底部（足蹠部）に貼付して被覆できる形状Aとアキレス腱部に貼付して被覆できる形状Bを示す。
【図５】本発明の第一の実施形態及び第二の実施形態に係る踵用ドレッシング材(実施例4)を上から見た平面図である。足底部（足蹠部）に貼付して被覆できる形状Aとアキレス腱部に貼付して被覆できる形状Bを示す。
【図６】本発明の第三の実施形態に係る剥離シート付踵用ドレッシング材 (実施例5)を上から見た平面図である。
【図７】本発明の第三の実施形態に係る剥離シート付踵用ドレッシング材 (実施例5)を横から見た側面模式図である。
【図８】本発明における「二つの切り込み部を結ぶ直線から該形状Aの末端までの長さLA」を示す参考図である。破線は「二つの切り込み部を結ぶ直線」を示している
【図９】本発明における「二つの切り込み部を結ぶ直線から該形状Bの末端までの長さLB」を示す参考図である。破線は「二つの切り込み部を結ぶ直線」を示している。
【図１０】本発明の踵用ドレッシング材の貼付状態を示す参考図である。
【図１１】本発明の剥離シートの一例を示す参考図である。
【図１２】本発明の剥離シートの一例を示す参考図である。点線は剥がすときに折り曲げるミシン目を示している
【図１３】本発明の本発明の第三の実施形態に係る剥離シート付踵用ドレッシング材の貼付方法を示す参考図である。 (１)剥離シートを一部剥がす。(2)足底部に貼る。(3)側面剥離シートを剥がす。(4)側面に貼る。(5)後部を剥離シートから剥がす。(6)側面のテープを包み込みながら貼付する。
【考案を実施するための形態】
【００１３】
以下、考案の実施形態について実施例を挙げて説明するが、本考案は以下の実施例に限定されるものではない。
【実施例】
【００１４】
(実施例１)
図1は本発明の第一の実施形態及び第二の実施形態に係る踵用ドレッシング材(実施例1)を上から見た平面図である。図2は本発明の第一の実施形態及び第二の実施形態に係る踵用ドレッシング材(実施例1)を横から見た側面模式図である。
【００１５】
(実施例２)
図３は本発明の第一の実施形態及び第二の実施形態に係る踵用ドレッシング材(実施例２)を上から見た平面図である。
【００１６】
(実施例３)
図４は本発明の第一の実施形態及び第二の実施形態に係る踵用ドレッシング材(実施例３)を上から見た平面図である。
【００１７】
(実施例４)
図５は本発明の第一の実施形態及び第二の実施形態に係る踵用ドレッシング材(実施例４)を上から見た平面図である。
【００１８】
(実施例５)
図６は本発明の第三の実施形態に係る剥離シート付踵用ドレッシング材 (実施例５)を上から見た平面図である。破線は「二つの切り込み部を結ぶ直線」を示す。図７は本発明の第三の実施形態に係る剥離シート付踵用ドレッシング材 (実施例5)を横から見た側面模式図である。
【産業上の利用可能性】
【００１９】
踵フットケアに用いるためのドレッシング材として利用する事ができる。
【符号の説明】
【００２０】
１．支持体
２．粘着剤層
３．剥離シート
【図１】
0003210376.tif 000003
【図２】
0003210376.tif 000004
【図３】
0003210376.tif 000005
【図４】
0003210376.tif 000006
【図５】
0003210376.tif 000007
【図６】
0003210376.tif 000008
【図７】
0003210376.tif 000009
【図８】
0003210376.tif 000010
【図９】
0003210376.tif 000011
【図１０】
0003210376.tif 000012
【図１１】
0003210376.tif 000013
【図１２】
0003210376.tif 000014
【図１３】
0003210376.tif 000015
【手続補正書】
【提出日】平成29年3月2日(2017.3.2)
【手続補正１】
【補正対象書類名】図面
【補正対象項目名】図１３
【補正方法】変更
【補正の内容】
【図１３】
0003210376.tif 000016